(57)【要約】デザインを基板に適用するための方法を提供する。片面に接着剤層（１２）を有するカバーシート（１１）を含むラミネート（１０）と、所定のプリントデザインと、装飾的構造体を視覚的にシミュレートするようにそれぞれが片面に沿って接着剤層（１９）を有する光学フィルム片であって、その反対面（２０）に沿って溝またはその他の構造体を有するところの前記プリントデザインの各部分に対応した周辺形状を有する光学フィルム片（１７、１８）と、を含むキットを使用して基板（９）を装飾するための方法。この光学フィルム片はそれらの形状に対応するデザインの各部分の上に配置され、このフィルム片の構造面が前記ラミネートの上の接着剤に接着され、このラミネート上の接着剤層に接着された光学フィルム片が基板上の所望の位置に配置される。光学フィルム片と基板との間から空気が押し出され、その後にラミネートを除去して基板に接着された光学フィルム片を所定のデザインで残す。
2004526590.tif 000002
【特許請求の範囲】
【請求項１】
基板を装飾するための方法であって、
カバーシートと前記カバーシートの片面に接着された接着剤層とを含む少なくとも半透明のラミネートと、所定のプリントデザインと、前記プリントデザインの少なくとも一部に対応する周辺形状を有する光学フィルム片であって、それぞれが装飾的構造体を視覚的にシミュレートするように片面に沿って接着剤層を有すると共に反対面に沿って溝またはその他の構造体を有する光学フィルム片と、を含む、キットを提供する工程と、
前記光学フィルム片を、前記フィルム片の構造面が共通平面に沿った状態で、それらの形状に対応するデザインの各部分の上に配置する工程と、
前記フィルム片の構造面を前記ラミネート上の接着剤層に接着する工程と、
前記ラミネート上の接着剤層に接着された光学フィルム片を前記基板上の所望の位置に配置する工程と、
前記基板と、前記ラミネート上の接着剤層に接着された前記光学フィルム片との間から空気を押し出す工程と、
前記ラミネートを除去して前記基板に接着された前記光学フィルム片を少なくとも前記所定のデザインで残す工程と、
を含む方法。
【請求項２】
前記カバーシートと前記カバーシート上の接着剤層が前記ラミネートの表面間に湿気を通過させ、
前記ラミネート上の接着剤層に接着された前記光学フィルム片を前記基板上の所望の位置に配置する前記工程の前に溶液を使用して前記光学フィルム片と、前記ラミネートと、前記基板とを濡らす工程と、前記除去工程の前に前記溶液を乾燥させる工程と、を更に含み、
前記押し出し工程が、また、前記基板と、前記ラミネート上の接着剤層に接着された前記光学フィルム片との間から水を押し出す工程を含む、
請求項１に記載の方法。
【請求項３】
前記所定のプリントデザインが前記ラミネート上に印刷され、
前記光学フィルム片をそれらの形状に対応するデザインの各部分上に配置する前記工程が、前記フィルム片の前記構造面を前記ラミネート上の接着剤層に押圧する工程を含む、請求項１に記載の方法。
【請求項４】
前記ラミネート上および前記光学フィルム片上の前記接着剤層が感圧接着剤の層であり、
剥離ライナが前記光学フィルム片上の接着剤層上に設けられ、
前記ラミネート上の接着剤層に接着された前記光学フィルム片を前記基板上の所望の位置に配置する前記工程の前に前記剥離ライナを除去する工程を更に含む、請求項３に記載の方法。
【請求項５】
前記所定のプリントデザインが前記キットに設けられたテンプレート上に印刷され、
前記光学フィルム片をそれらの形状に対応するデザインの各部分の上に配置し、前記フィルム片の前記構造面を前記ラミネート上の接着剤層に接着する前記工程中、前記接着剤層の反対側のラミネート側に沿って前記テンプレートを配置する工程を含む、請求項１に記載の方法。
【請求項６】
前記所定のプリントデザインが、少なくとも半透明でありかつ前記光学フィルム片上の接着剤層から容易に剥離できるように成形または処理された剥離表面を有するライナ材料層上に印刷され、
前記光学フィルム片をそれらの形状に対応するデザインの各部分上に配置する前記工程が、前記光学フィルム片上の接着剤層を前記ライナ材料上の前記剥離面に対して押圧する工程を含み、
前記光学フィルム片の前記構造面を前記ラミネート上の前記接着剤層に接着する前記工程が、前記ラミネート上の前記接着剤層を前記ライナ材料に接着された前記フィルム片上の構造面に対して押圧する工程を含み、前記ラミネート上の前記接着剤層に接着された前記光学フィルム片を前記基板上の所望の位置に配置する前記工程の前に前記ライナ材料をはがす後続工程を更に含む、請求項１に記載の方法。
【請求項７】
前記所定のプリントデザインが前記キットに設けられたテンプレート上に印刷され、
前記光学フィルム片上の前記接着剤層から容易に剥離できるように成形または処理された剥離面を有する少なくとも半透明のライナ材料の層が前記キットに設けられ、
前記テンプレートをその剥離面の反対側のライナ材料層側に沿って配置する工程を含み、
前記光学フィルム片をそれらの形状に対応するデザインの各部分の上に配置する前記工程が、前記光学フィルム片上の接着剤層を前記ライナ材料上の前記剥離面に対して押圧する工程を含み、
前記フィルム片の構造面を前記ラミネート上の接着剤層に接着する工程が、前記ラミネート上の前記接着剤層を前記ライナ材料に接着された前記フィルム片上の構造面に対して押圧する工程を含み、
前記ラミネート上の接着剤層に接着された前記光学フィルム片を前記基板上の所望の位置に配置する前記工程の前に、前記ライナ材料をはがす後続工程を更に含む、請求項１に記載の方法。
【請求項８】
前記光学フィルム片のうちの少なくとも１つが、前記プリントデザインの１部のみに対応する周辺形状を有し、
前記光学フィルム片のうちの前記少なくとも１つを切り取る工程を更に含む、請求項１に記載の方法。
【請求項９】
基板を装飾するための方法であって、
カバーシートと前記カバーシートの片面に接着された感圧接着剤の層とを含み前記カバーシートと接着剤層とが通気されている少なくとも半透明なラミネートと、それぞれが片面に沿って感圧接着剤の層を有する光学フィルム片であって、反対の面に沿って溝またはその他の構造体を有し装飾ガラスまたはガラス関連構造体を視覚的にシミュレートする光学フィルム片と、前記光学フィルム片上の接着剤層から容易に剥離できるように成形または処理された剥離面を有するライナ材料の層とを含む、キットを提供する工程と、
前記光学フィルム片上の接着剤層を前記ライナ材料上の前記剥離面に対して押圧して装飾パターンを提供する工程と、
前記ラミネート上の感圧接着剤層を前記ライナ材料に接着された前記フィルム片上の構造面に対して押圧する工程と、
前記ライナ材料をはがす工程と、
溶液を使用して前記光学フィルム片と、前記ラミネートと、前記基板とを濡らす工程と、
前記ラミネート上の前記接着剤層に接着された前記光学フィルム片を前記基板上の所望の位置に配置する工程と、
前記基板と、前記ラミネート上の前記接着剤層に接着された前記光学フィルム片との間から空気と水とを押し出す工程と、
前記溶液を乾燥させる工程と、
前記ラミネートを除去して、前記基板に接着された前記光学フィルム片を前記装飾パターンで残す工程と、
を含む方法。
【請求項１０】
所定のデザインが前記ライナ材料層上に印刷され、
前記光学フィルム片上の前記接着剤層を前記ライナ材料上の前記剥離面に対して押圧して装飾パターンを提供する前記工程が、前記光学フィルム片を前記光学フィルム片の形状に対応するデザインの各部分上に配置する工程を含む、請求項９に記載の方法。
【請求項１１】
所定のデザインが前記キットに設けられたテンプレート上に印刷され、
前記光学フィルム片上の前記接着剤層を前記ライナ材料上の前記剥離面に対して押圧して装飾パターンを提供する前記工程が、前記テンプレートをその剥離面の反対側のライナ材料層側に沿って配置する工程と、前記光学フィルム片を前記光学フィルム片の形状に対応するデザインの各部分上に配置する工程と、を含む、請求項９に記載の方法。
【請求項１２】
基板を装飾するためのキットであって、
カバーシートと、前記カバーシートの片面に接着された接着剤層と、を含む少なくとも半透明なラミネートと、
所定のプリントデザインと、
前記プリントデザインの少なくとも一部に対応する周辺形状を有する光学フィルム片であって、装飾的構造体を視覚的にシミュレートするように、それぞれが片面に沿って接着剤層を有すると共に反対面に沿って溝を有する光学フィルム片と、
を含むキットであって、
大略共通平面に沿った構造面を有する前記光学フィルム片をそれらの形状に対応するデザインの各部分上に配置する工程と、
前記フィルム片の構造面を前記ラミネート上の接着剤層に接着する工程と、
前記ラミネート上の前記接着剤層に接着された前記光学フィルム片を前記基板上の所望の位置に配置する工程と、
前記ラミネート上の前記接着剤層に接着された前記光学フィルム片と前記基板との間から空気を押し出す工程と、
前記ラミネートを除去して、前記基板に接着された前記光学フィルム片を前記所定のデザインで残す工程と、を提供するキット。
【請求項１３】
前記光学フィルム片の構造面を前記ラミネート上の前記接着剤層に対して押圧することによって前記光学フィルム片がそれらの形状に対応するデザインの各部分上に配置できるように前記所定のプリントデザインが前記ラミネート上に印刷される、請求項１２に記載のキット。
【請求項１４】
前記ラミネート上および前記光学フィルム片上の接着剤層が感圧接着剤層であり、
前記ラミネート上の前記接着剤層に接着された前記光学フィルム片を前記基板の所望の位置に配置する前に除去する必要のある剥離ライナであって、前記光学フィルム片上の前記接着剤層上の剥離ライナを更に含む、請求項１２に記載のキット。
【請求項１５】
前記所定のプリントデザインが印刷されるテンプレートであって、前記光学フィルム片をそれらの形状に対応するデザインの各部分上に配置し前記フィルム片の前記構造面を前記ラミネート上の接着剤層に対して押圧するときに、前記接着剤層の反対のラミネート側に配置されるテンプレートを更に含む、請求項１２に記載のキット。
【請求項１６】
前記光学フィルム片をそれらの形状に対応するデザインの各部分上に配置する工程が、前記光学フィルム片上の接着剤層を前記ライナ材料上の前記剥離面に対して押圧する工程を含み、前記光学フィルム片の前記構造面を前記ラミネート上の前記接着剤層に接着する工程が、前記ラミネート上の前記接着剤層を前記ライナ材料に接着された前記フィルム片上の構造面に対して押圧する工程を含むように、前記所定のプリントデザインが、前記光学フィルム片上の前記接着剤層から容易に剥離できるように成形または処理された剥離面を有するライナ材料層上に印刷され、その後、前記ライナ材料が、前記ラミネート上の着脱可能な接着剤の層に接着された光学フィルム片を前記基板上の所望の位置に配置する前にはがされる、請求項１２に記載のキット。
【請求項１７】
前記光学フィルム片上の接着剤層から容易に剥離できるように成形または処理された剥離表面を有する少なくとも半透明のライナ材料層と、所定のプリントデザインが前記テンプレート上に印刷され前記剥離表面の反対側の前記ライナ材料層の側に沿って配置されたテンプレートと、を更に含み、
前記光学フィルム片が、前記光学フィルム片上の前記接着剤層を前記ライナ材料上の前記剥離面に対して押圧することによって、それらの形状に対応するデザインの各部分上に配置され、次に、前記フィルム片の構造面が、前記ラミネート上の前記接着剤層を前記ライナ材料に接着された前記フィルム片上の前記構造面に対して押圧することによって、前記ラミネート上の前記接着剤層に接着され、その後、前記ライナ材料が、前記ラミネート上の前記接着剤層に接着された前記光学フィルム片を前記基板上の所望の位置に配置する前にはがされる、請求項１２に記載のキット。
【請求項１８】
基板を装飾するためのキットであって、
カバーシートと前記カバーシートの片面に接着された感圧接着剤層とを含み、前記カバーシートと前記接着剤層とが通気された少なくとも半透明のラミネートと、
装飾的ガラスまたはガラス関連構造体を視覚的にシミュレートするように、それぞれが片面に沿って感圧接着剤の層を有すると共にその反対面に沿って溝またはその他の構造体を有する光学フィルム片と、前記光学フィルム片上の前記接着剤層から容易に剥離できるように成形または処理された剥離面を有するライナ材料の層と、
を含み、
前記光学フィルム片上の前記接着剤層を前記ライナ材料上の前記剥離面に対して押圧して装飾パターンを提供する工程と、
前記ラミネート上の前記接着剤層を前記ライナ材料に接着された前記フィルム片上の構造面に対して押圧する工程と、
前記ライナ材料をはがす工程と、
前記ラミネート上の前記接着剤層の接着された前記光学フィルム片を前記基板上の所望の位置に配置する工程と、
前記基板と前記ラミネート上の前記接着剤層に接着された前記光学フィルム片との間から空気を押し出す工程と、
前記ラミネートを除去して、前記基板に接着された光学フィルム片を装飾パターンで残す工程と、
を提供するキット。
【請求項１９】
前記光学フィルム片を前記光学フィルム片の形状に対応するデザインの各部分上に配置する工程を提供するために、ライナ材料層上に所定のデザインが印刷される、請求項１８に記載のキット。
【請求項２０】
テンプレートと、該テンプレート上に印刷される所定のデザインであって、前記テンプレートをその剥離面の反対側の前記ライナ材料層側に配置する工程と、前記光学フィルム片を前記光学フィルム片の形状に対応するデザインの各部分上に配置する工程とを提供する、前記テンプレート上に印刷される所定のデザインと、を更に含む、請求項１８に記載のキット。
【発明の詳細な説明】
【技術分野】
【０００１】
本発明は板ガラスのような基板に、接着剤をコーティングした装飾物を適用するための方法とキットとに関する。
【背景技術】
【０００２】
特許文献１は、ポリマー製カバーシートとそのポリマー製カバーシートの片面に接着された感圧接着剤の層とを含み、またこのカバーシートと感圧接着剤層が通気されているラミネートを使用する基板（板ガラスなど）に感圧接着剤をコーティングしたグラフィックを適用するための方法を記載している。一般的に、その方法は、溶液を利用してグラフィックとラミネートと基板とを濡れさせて、感圧接着剤の層の反対側のグラフィックの表面をラミネート上の感圧接着剤の層に付着させる工程と、ラミネート上の感圧接着剤層に接着されたグラフィックを基板上の所望の位置に配置する工程と、ラミネート上の感圧接着剤層に接着されたグラフィックと基板との間から空気と水とを絞り出す工程と、溶液を乾燥させる工程と、ラミネートに除去して基板に接着されたグラフィックを残す工程と、を含む。
【０００３】
特許文献２は、光学フィルム片について記載しており、これらの各片は面取り端や、全長にわたる溝や、鉛を配したような外観や、あるいは肌理のある表面を有するガラスなどの装飾的ガラスを視覚的にシミュレートするか、あるいは金属桟などの関連構造体を視覚的にシミュレートするように、片面に沿って感圧接着剤の層を有し、その反対面には構造化された面（例えば、溝および／または気相コーティングされた面）とを有する。このような光学フィルム片は、２年以上もの間、工業現場で（例えば、窓メーカーによって）自動塗布装置により所定の模様になるように基板（例えば、窓枠）に塗布されてきたが、これまでは、ホームユーザーなどではこのような光学フィルムを窓などのガラス基板に、所望の視覚的シミュレーションが得られるように然るべき精度で塗布することは非常に難しかった。
【特許文献１】
米国特許第５，６６５，４４６号明細書
【特許文献２】
米国特許第５，８４０，４０７号明細書（１９９８年１１月２４日発行）
【特許文献３】
米国特許第５，７４９，９９４号明細書（１９９８年５月１２日発行）
【発明の開示】
【発明が解決しようとする課題】
【０００４】
本発明は、各片が、面取り端、全長にわたる溝、鉛を配したような外観、あるいは肌理表面を有するガラスなどの装飾的構造体、または金属桟などのガラス関連構造体を視覚的にシミュレートするように、片面には接着剤層と、反対面には構造面（溝の有するおよび／または気相コーティングされた表面など）を有する、特許文献２に記載されたタイプの別々の光学フィルム片を使用して作製された装飾的デザインを、基板（例えば、窓または鏡のガラス板）に日曜大工で正確に適用できるようにするための方法を提供する。
【課題を解決するための手段】
【０００５】
一般に、本発明による方法は、（１）片面に接着された接着剤（例えば、感圧接着剤）の層を有するカバーシートを含む少なくとも半透明のラミネートと、所定のプリントデザインと、そのプリントデザインの各部分に対応する周辺形状を有する光学フィルム片であって、また装飾的構造体を視覚的にシミュレートするように、片面に沿って接着剤（例えば、感圧接着剤）の層を有すると共にその反対面に沿って構造面（例えば、溝および／または気相コーティング面）を有する光学フィルム片と、を含む少なくとも半透明のラミネートを含むキットを提供する工程と、（２）これらの光学フィルム片を、その構造面が共通平面に沿った状態でそれらの形状に対応するデザインの各部分の上に配置する工程と、（３）このラミネート上の接着剤層を各フィルム片の構造面に接着する工程と、（４）ラミネート上の接着剤層に接着された各光学フィルム片を基板上の所望の位置に配置する工程と、（５）ラミネートおよびそのラミネートに接着された各光学フィルム片を基板に対して押圧する工程であって、その間はラミネートが各フィルム片の構造面を損傷から保護する工程と、（６）そのラミネートを除去して、基板に接着された各光学フィルム片を所定のデザインで残す工程、とを含む。
【０００６】
このラミネートは水蒸気を透過するように作製され（例えば、特許文献１に記載の通気ラミネート）、ラミネート上の接着剤層に接着された各光学フィルム片を基板上の所望の位置に配置する工程に先だって、溶液を使用して各光学フィルム片と、ラミネートと、基板とを濡らし、またその溶液はその工程とラミネートを除去する工程との間で乾燥させられるのが好ましい。
【０００７】
このプリントデザインはラミネート上に、もしくはその接着剤層の反対側のラミネートの側に配置されるテンプレート上に印刷することができる。工程（２）（すなわち、各光学フィルム片をそれらの形状に対応するデザインの各部分の上に配置する工程）は、次に、ラミネートが平面上に支持されている間、各フィルム片の構造面をラミネート上の接着剤層に押圧することによって達成することができる。各光学フィルム片がその接着剤層上に剥離ライナを有する場合は、それらの剥離ライナを工程（４）（すなわち、ラミネート上の接着剤層に接着された各光学フィルム片を基板上の所望の位置に配置する工程）の前に除去しなければならない。
【０００８】
あるいは、所定のプリントデザインは、各光学フィルム片上の接着剤層からの容易に剥離できるように成形または処理された剥離面を有する少なくとも半透明の材料（ポリエステルなど）の層上に印刷することができるか、あるいはそのデザインは、その剥離面の反対側のライナ材料の層の側に沿って配置されたテンプレート上に印刷することができる。工程（２）（つまり、各フィルム片をそれらの形状に対応するデザインの各部分の上に配置する工程）は、次に、各光学フィルム片上の接着剤各層を、ライナ材料が平面上に支持されている間にライナ材料上の剥離表面に対して押圧することによって、またそれらの接着剤層上にあった剥離ライナを除去した後に達成することができる。工程（３）（つまり、ラミネート上の接着剤層を各フィルム片の構造面に接着する工程）は、次に、ラミネート上の接着剤層をライナ材料に接着された各フィルム片上の構造面に対して押圧して、その後にライナ材料が工程（４）（すなわち、ラミネート上の接着剤層に接着された各光学フィルム片を基板上の所望の位置に配置する工程）の前にはがされる。
【０００９】
本発明は、添付の図面を参照して更に説明される。各添付図面においては、同一部品は同一参照番号で参照される。
【発明を実施するための最良の形態】
【００１０】
図１〜８を参照すると、基板（例えば、フレーム８で囲まれたガラス枠９）を装飾するための本発明による第一の方法が連続的かつ概略的に示されている。一般に、この方法は、少なくとも半透明のラミネート１０を含むキット（図１、２、および３を参照）を提供する工程を含む。このラミネート１０、その他本仕様書記載の構造体が「少なくとも半透明」であると言う場合、本発明者らは、そのラミネートその他の構造体が、乾燥時あるいは湿潤時に半透明または透明であることを意味し、また濡れた時のみ半透明または透明となるラミネートその他の構造体を明確に含める。このラミネート１０は、ポリマー製カバーシート１１とこのカバーシート１１の片面に接着された感圧接着剤の層１２を含む。このラミネート１０は、カバーシート１１とその主平面間の接着剤層１２の中を通る通路１３による通気などを含む手段によってその主要平面間での湿気の透過を可能にしている（例えば、特許文献３に記載のラミネート）。このキットはまた、図１と２に示すようにラミネート１０上に印刷可能な所定のプリントデザイン１４を含み、またこのキットは、プリントデザイン１４の各部分に対応する周辺形状を有し、それぞれが片面には感圧接着剤の層１９を、その反対の構造面２０には溝、ベーパーコーティング、および／またはその他の構造体を有してはす縁を有するガラスや、縦方法に中心溝を有するガラスや、あるいは鉛を配した外観を有するガラスや、あるいは肌理表面を有するガラスなどの装飾ガラスを視覚的にシミュレートし、あるいは真鍮または鉛製の桟などのガラス関連構造体（特許文献２に記載の各光学フィルム片など）を視覚的にシミュレートする光学フィルム片１７と１８を含む。カバーシート１１上の接着剤層１２上に一般的に設けられる剥離ライナ２２（図２にのみ記載）は除去され、また当該ラミネート１０は、接着剤コートテープ２５などで仮留めできるテーブルトップ（図４参照）のそれなど、接着剤層１２が水平面２４上の一番上にある状態で支持される。この方法は、次に、各光学フィルム片１７と１８をそれらの形状に対応するデザイン１４の各部分の上に配置する工程と、各フィルム片１７と１８の構造面２０をその場所にあるカバーシート１１上の接着剤層１２に接着する工程とを含む（図４を参照）。これにより、各フィルム片１７と１８の構造面２０は共通の平面に沿って配置される。次に、各フィルム片１７と１８を取り付ける基板またはガラスシート９を図５に示すように汚れを取り（噴射ボトル２９の液体ガラスクリーナー２７などで）、光学フィルムの各片１７と１８（図３のみ参照）上の接着剤層１９上に存在する剥離ライナ２８が除去される。次に、溶液３０（例えば、５％（体積）消毒用アルコール水溶液。または噴射ボトル３４では１／２％（体積）石鹸水）を使用して各光学フィルム片１７と１８と、ラミネート１０と、基板９（図６参照）とを濡らす。カバーシート１１上の接着剤層１２に接着された各光学フィルム片１７と１８は、基板９（図７を参照）上の所望の位置に配置される。また空気と水は、基板９と、カバーシート１１上の接着剤層１２に接着された各光学フィルム片１７と１８との間から絞り出され、その間、ラミネート１０を押すことで、各フィルム片１７と１８の構造面２０を損傷から保護される。溶液３０は乾燥される。次に、ラミネート１０がはがされて、基板９に接着された光学フィルム片１７と１８を所定のデザインで残される。
【００１１】
プリントデザイン１４の各部分に対応する周辺形状を有する光学フィルム片１７と１８とともにデザイン１４を印刷するラミネート１０を含むキットは、上記記載の方法を使って窓または鏡の表面などの表面を装飾することのできるマイホーム所有者などに提供することができる。
【００１２】
図９は、図１〜８を参照して、上記の方法から若干修正された方法において使用される図１記載のキットの修正物を示している。図９に示すように（この図では、図１に示すものと本質的に同じ構造部品が、同じ参照番号に接尾辞「ａ」を追加した状態で識別される）、所定のプリントデザイン１４ａは、図１と２に示すラミネート１０上に印刷するのではなく、紙または薄いポリマー材料製のテンプレート２６上に印刷することができる。次に、上記の第一の方法は、このテンプレート２６が、接着剤層１２ａの反対側の少なくとも半透明のラミネート１０ａの後ろに配置され、その後、光学フィルム片１７ａと１８ａがそれらの形状に対応するデザインの各部分１４ａの上に配置され、その構造面２０ａがカバーシート１１ａ上の感圧接着剤層１２ａに接着される。基板を装飾するための方法の残りの部分は、図５〜８を参照して上記に記載されるものと同一である。表面を装飾するのに人が使用するためのキット（例えば、窓または鏡を装飾するのにマイホーム所有者が使用するものなど）は、このため、ラミネート１０ａと、デザイン１４ａまたは様々なデザインを印刷する１つ以上のテンプレート２６と、プリントデザイン１４ａまたはデザインの各部分に対応する周辺形状を有する光学フィルム片１７ａと１８ａとを含むことができる。このようなキットは、デザインに選択の幅を提供でき、またそのデザインはいずれも、同じラミネート１０ａを利用してそれを適用することができる。
【００１３】
図１０、１１、および１２を参照すると、基板を装飾するための本発明による第二の方法の各部分が連続的かつ概略的に示されている。この第二の方法は、図１〜８を参照して上に記載した第一の方法で使用された基本的に同じ構造体（この構造体には接尾辞「ｂ」を付した同じ参照番号が与えられる）と、少なくとも半透明のポリマー剥離材料層３１と、を含む。一般的に、第一の方法と同様、第二の方法は、少なくとも半透明であって、ポリマーカバーシート１１ｂとこのカバーシート１１ｂの片面に接着された感圧接着剤層１２ｂとを備え、その主平面間の通路１３ｂからの通気などの手段によってその主平面間から水蒸気を透過させることのできるラミネート１０ｂ（例えば、特許文献３に記載のラミネート）を含み、所定のプリントデザイン１４ｂを含み、プリントデザイン１４ｂの各部に対応する周辺形状を有する光学フィルム片１７ｂと１８ｂであって、片１７ｂと１８ｂが装飾的ガラスまたはガラス関連構造体を視覚的にシミュレートするように（例えば、特許文献２に記載の光学フィルム片）、それぞれが片面には感圧接着剤層１９ｂを、その反対の構造面２０ｂには溝、ベーパーコーティング、またはあるいはその他の構造体を有する光学フィルム片１７ｂと１８ｂを含む、キット（図１０を参照）を提供する工程を含む。この第二の方法が第一の方法と異なる点は、所定のプリントデザイン１４ｂがラミネート１０ｂ上に印刷されるのではなく、ポリマー製ライナ材料（０．００１〜０．００４インチ、すなわち０．００２５〜０．０１０ｃｍ厚のポリエステルなど）の層３１上に印刷される点である。剥離材料層３１は、光学フィルム片１７ｂと１８ｂ上の接着剤層１９ｂからの容易に剥離できるように成形または処理された剥離面を有する。ライナ材料層３１は、接着剤コートテープ３３などで仮留めできるテーブルトップのそれなど（図１１を参照）、水平面３２上にその剥離面を一番上して支持される。光学フィルム片１７ｂと１８ｂは、ライナ材料層３１上でそれらの形状に対応するデザイン１４ｂの部分上に配置され（図１１を参照）、また光学フィルム片１７ｂと１８ｂ上の接着剤層１９ｂは、接着剤層１９ｂ上にある剥離ライナを除去した後、ライナ材料層３１上の剥離面に対して押圧される。これにより、フィルム片１７ｂと１８ｂの構造面２０ｂが共通平面に沿って配置される。カバーシート１１ｂ上の接着剤コーティング層１２ｂ上に一般的に設けられるこの剥離ライナが除去され、カバーシート１１ｂ上の接着剤層１２ｂがライナ材料３１に接着されたフィルム片１７ｂと１８ｂ上の構造面２０ｂに押圧されて接着され（図１２参照）、その後、ライナ材料３１が剥がされる。その後、接着剤層１２ｂによってそれに接着されたフィルム片１７ｂと１８ｂを有するカバーシート１１ｂを使用して、図面の図５〜８に関連して上述された方法で片１７ｂと１８ｂを基板に適用する。
【００１４】
図１３は、図１０と１１を参照して、上述された第二の方法から若干修正された方法において使用される、図１０記載のキットの修正物である。図１３（図１０記載のものと基本的に同じ構造部品は、接尾辞「ｃ」を追加した同じ参照番号で識別される）に示すように、所定のプリントデザイン１４ｃは、図１０に示すライナ材料層３１上に印刷されるのではなく、光学フィルム片１７ｃと１８ｃがそれらの形状に対応するデザイン１４ｃの部分上に配置され、光学フィルム片１７ｃと１８ｃ上の接着剤層１９ｃが、平面上にライナ材料層３１ｃを支持して、接着剤層１９ｃにある剥離ライナを除去した後にライナ材料層３１ｃ上の剥離平面に対して押圧されるとき、その剥離平面の反対側のライナ材料層３１ｃの後に配置される紙または薄いポリマー材料製テンプレート３６上に印刷することができる。これにより、フィルム片１７ｃと１８ｃの構造面２０ｃは共通平面に沿って配置される。カバーシート１１ｃ上の接着コート層１２ｃの上に一般的に設けられる剥離ライナが除去され、次にカバーシート１１ｃ上の接着剤層１２ｃがライナ材料３１に接着されたフィルム片１７ｃと１８ｃ上の構造面２０ｃに押し付けられ接着され（図１４を参照）、その後、ライナ材料３１ｃがはがされる。次に接着剤層１２ｃでそれに接着されたフィルム片１７ｃと１８ｃを有するカバーシート１１ｃを使用して、片１７ｃと１８ｃを図面の図５〜８を参照して上記のやり方で基板に適用する。表面を装飾するのに人が使用するキット（窓または鏡を装飾する際にマイホーム所有者が使用するものなど）は、このため、ラミネート１０ｃと、デザイン１４ｃまたは様々な設計がプリントされたテンプレート３６の１つ以上と、プリントデザイン１４ｃまたはデザインの各部に対応する周辺形状を有する光学フィルム片１７ｃと１８ｃとを含むことができる。このようなキットはデザインに選択の幅を提供でき、そのいずれも同じラミネート１０ｃを使用して上述のデザインに対応するパターンで片１７ｃと１８ｃを適用することができる。あるいは、テンプレート３６は使用する必要がなく、また使用者は、デザイン１４ｃを使用せずに当該使用者がデザインまたは選択した所望の装飾的パターンでラミネート３１ｃ上に片１７ｃと１８ｃを配置することができる。光学フィルム片１７ｃと１８ｃ上の接着剤層１９ｃは、片１７ｃおよび１８ｃの所望の配置が決定され、それらの片１７ｃと１８ｃ上の接着剤層１９ｃ上にあった剥離ライナが除去された後にライナ材料層３１ｃ上の剥離面に押圧される。基板を装飾するためのこの更に変更された第二の方法のその残りの部分は、図１０、１１、および１２を参照して、あるいは図１３および１４を参照して上述されたものと同じである。
【００１５】
本発明は、そのいくつかの実施形態とその変更物について記載されてきた。記載された実施形態は本発明の範囲から逸脱することなく修正が可能であることは当業者には明らかであろう。たとえば、用途によっては、キットを適用する人がカミソリ刃などの切断装置により、使用する特定のパターンに応じた所望の形状または長さに合わせて、あるいはそのキットを適用する基板のサイズに合わせて各片を切断する形状で、片１７、１７ａ、１７ｂ、１７ｃ、または１８、１８ａ、１８ｂ、１８ｃの片方または両方を提供した方が有用な場合がある。このため、片のうちのいくつかは、当該キットの適用の前後に短縮しなければならない長さであってもよく、あるいはあるパターン使用時にはある形状に、他のパターン使用時には他形状に切断される端部を有していてもよい。各片上のおよび／またはカバーシート１１、１１ａ、１１ｂ、１１ｃ上の接着剤は、液体や熱の適用によって活性化する接着剤など、感圧接着剤以外のものでもよい。ラミネート１０、１０ａ、１０ｂ、１０ｃ内のカバーシートと接着剤は、記載したタイプの通気穴がなくても湿気の通気できる材料で作製することもできる。このため、本発明の範囲は、本出願で記載された方法と構造に限定されるべきではなく、特許請求の範囲の言葉で説明される方法および構造、さらにはその等価物によってのみ限定されるべきものである。
【図面の簡単な説明】
【００１６】
【図１】各光学フィルム片を基板に適用するために本発明による第一の方法の第一工程として提供されるキットの概略図である。
【図２】図１の線２−２に沿った拡大断面図である。
【図３】図１の線３−３に沿った拡大断面図である。
【図４】各光学フィルム片を基板に適用するために本発明による第一の方法において図１に示す工程に後続する各工程を連続的かつ概略的に示した図である。
【図５】各光学フィルム片を基板に適用するために本発明による第一の方法において図１に示す工程に後続する工程を連続的かつ概略的に示した図である。
【図６】各光学フィルム片を基板に適用するために本発明による第一の方法において図１に示す工程に後続する工程を連続的かつ概略的に示した図である。
【図７】各光学フィルム片を基板に適用するために本発明による第一の方法において図１に示す工程に後続する工程を連続的かつ概略的に示した図である。
【図８】各光学フィルム片を基板に適用するために本発明による第一の方法において図１に示す工程に後続する工程を連続的かつ概略的に示した図である。
【図９】第一の方法とは類似しているが若干修正された基板に各光学フィルム片を適用するための本発明による方法において使用することのできる、図１に示すキットの修正物を示す図である。
【図１０】各光学フィルム片を基板に適用するための本発明による第二の方法において第一の工程として提供されるキットの概略図である。
【図１１】各光学フィルム片を基板に適用するための本発明による第二の方法における、図１０に示す工程に後続する工程の概略図である。
【図１２】各光学フィルム片を基板に適用するための本発明による第二の方法において図１１に示す工程に後続する工程の概略を示す拡大部分図である。
【図１３】第二の方法に類似しているがそれから若干修正された、各光学フィルム片を基板に適用するための本発明による方法において使用することのできる、図１１に示すキットの修正図である。
【図１４】各光学フィルム片を基板に適用するための本発明による修正された第二の方法において、図１３に示す工程に後続する工程を概略的に示した拡大部分図である。
【符号の説明】
【００１７】
８  フレーム
９  基板
１０  ラミネート
１０ａ  ラミネート
１０ｂ  ラミネート
１０ｃ  ラミネート
１１  カバーシート
１１ａ  カバーシート
１１ｂ  カバーシート
１１ｃ  カバーシート
１２  感圧接着剤の層
１２ａ  感圧接着剤の層
１２ｂ  感圧接着剤の層
１２ｃ  感圧接着剤の層
１３  通路
１３ａ  通路
１３ｂ  通路
１３ｃ  通路
１４  プリントデザイン
１４ａ  プリントデザイン
１４ｂ  プリントデザイン
１４ｃ  プリントデザイン
１７  光学フィルム片
１７ａ  光学フィルム片
１７ｂ  光学フィルム片
１７ｃ  光学フィルム片
１８  光学フィルム片
１８ａ  光学フィルム片
１８ｂ  光学フィルム片
１８ｃ  光学フィルム片
１９  感圧接着剤の層
１９ａ  感圧接着剤の層
１９ｂ  感圧接着剤の層
１９ｃ  感圧接着剤の層
２０  構造面
２０ａ  構造面
２０ｂ  構造面
２０ｃ  構造面
２２  剥離ライナ
２４  水平面
２５  接着剤コートテープ
２６  テンプレート
２７  液体ガラスクリーナー
２８  剥離ライナ
２９  噴射ボトル
３０  溶液
３１  ライナ材料
３１ａ  ライナ材料
３１ｂ  ライナ材料
３１ｃ  ライナ材料
３３  接着剤コートテープ
３４  噴射ボトル
３６  テンプレート
【国際公開パンフレット】
2004526590.tif 000003
2004526590.tif 000004
2004526590.tif 000005
2004526590.tif 000006
2004526590.tif 000007
2004526590.tif 000008
2004526590.tif 000009
2004526590.tif 000010
2004526590.tif 000011
2004526590.tif 000012
2004526590.tif 000013
2004526590.tif 000014
2004526590.tif 000015
2004526590.tif 000016
2004526590.tif 000017
2004526590.tif 000018
2004526590.tif 000019
2004526590.tif 000020
2004526590.tif 000021
2004526590.tif 000022
2004526590.tif 000023
2004526590.tif 000024
2004526590.tif 000025
2004526590.tif 000026
【国際公開パンフレット（コレクトバージョン）】
2004526590.tif 000027
2004526590.tif 000028
【国際調査報告】
2004526590.tif 000029
2004526590.tif 000030